(57)【要約】【課題】映像再生装置及び映像表示装置の両方のスペックを鑑みて、再生時の映像を、安定して適切な映像モードとできる映像再生装置を提供する。【解決手段】ＤＶＤプレーヤ１０は、モニタ３０で処理可能な表示設定の種類を示す表示設定情報をモニタ３０から取得する手段１６と、モニタ３０へと出力する映像情報の表示設定を変換処理する映像変換手段１４と、予め記憶部１７に記憶される評価用映像情報を読み出す手段１６と、映像変換手段１４を用いて評価用映像情報を表示設定情報に示される各表示設定となるように順次変換処理させ、変換処理された評価用映像情報をモニタ３０へと順次出力させる手段１６と、順次出力される評価用映像情報を、モニタ３０で順次表示した結果に基づいて、表示設定情報の中から再生時にモニタ３０へと出力する映像情報の表示設定を決定する手段１６と、を備える。【選択図】図１
2009105798.tif 000002
【特許請求の範囲】
【請求項１】
映像を表示する映像表示装置と接続可能に設けられ、記録媒体に記録される映像情報の再生を行う映像再生装置であって、
前記映像表示装置で処理可能な表示設定の種類を示す表示設定情報を前記映像表示装置から取得する表示設定情報取得手段と、
前記映像表示装置へと出力する映像情報を、前記表示設定となるように変換処理する映像変換手段と、
再生時に前記映像表示装置へと出力する映像情報の表示設定を決定すべく、予め用意される評価用映像情報を、内蔵或いは外付けの記憶媒体から読み出す評価用映像読み出し手段と、
前記映像変換手段を用いて前記評価用映像情報を前記表示設定情報に示される各表示設定となるように順次変換処理させ、変換処理された前記評価用映像情報を前記映像表示装置へと順次出力させる出力指令手段と、
前記映像表示装置へと順次出力される前記評価用映像情報を、前記映像表示装置で順次表示した結果に基づいて、前記表示設定情報の中から再生時に前記映像表示装置へと出力する映像情報の表示設定を決定する表示設定決定手段と、
を備えることを特徴とする映像再生装置。
【請求項２】
ユーザが前記表示設定情報の中から１つの表示設定を選択して入力するための入力手段を備え、
前記表示設定決定手段は、前記入力手段から入力された入力情報によって、前記映像表示装置へと出力する映像情報の表示設定を決定することを特徴とする請求項１に記載の映像再生装置。
【請求項３】
前記映像表示手段で表示される映像の少なくとも一部を撮像する撮像手段と、
前記撮像手段で撮像された映像の評価を行う評価手段と、を備え、
前記表示設定決定手段は、前記評価手段による評価結果に基づいて、前記映像表示装置へと出力する映像情報の表示設定を決定することを特徴とする請求項１に記載の映像再生装置。
【請求項４】
前記表示設定には、解像度、フレームレート、及び走査方式の設定が含まれることを特徴とする請求項１から３のいずれかに記載の映像再生装置。
【請求項５】
前記映像表示装置との接続をＨＤＭＩ（High-Definition Multimedia Interface）ケーブルによって行うためのＨＤＭＩ端子部が設けられることを特徴とする請求項１から４のいずれかに記載の映像再生装置。
【請求項６】
請求項１から５のいずれかに記載の映像再生装置と、前記映像再生装置に接続される映像表示装置と、を備えることを特徴とする映像表示システム。
【請求項７】
請求項５に記載の映像再生装置と、前記映像再生装置にＨＤＭＩケーブルを介して接続される前記映像表示装置と、を備えることを特徴とする映像表示システム。
【請求項８】
映像再生装置から出力される再生映像情報を映像表示装置で表示する映像表示方法であって、
前記映像再生装置が、前記映像表示装置で処理可能な表示設定の種類を示す表示設定情報を前記映像表示装置から取得するステップと、
前記映像再生装置において、再生時に前記映像表示装置へと出力する映像情報の表示設定を決定すべく予め用意される評価用映像情報を、内蔵或いは外付けの記憶媒体から読み出すステップと、
読み出された前記評価用映像情報を、前記表示設定情報に示される各表示設定となるように順次変換処理し、変換処理された前記評価用映像情報を前記映像再生装置から前記映像表示装置へと順次出力するステップと、
前記映像表示装置へと順次出力される前記評価用映像情報を、前記映像表示装置で順次表示した結果に基づいて、前記表示設定情報の中から再生時に前記映像再生装置から前記映像表示装置へと出力する映像情報の表示設定を決定するステップと、
決定された表示設定となるように前記映像再生装置で再生映像情報を処理して前記映像表示装置へと出力するステップと、
を具備することを特徴とする映像表示方法。
【発明の詳細な説明】
【技術分野】
【０００１】
本発明は、記録媒体に記録される映像情報の再生を行う映像再生装置に関し、特に、映像再生装置から出力されて映像表示装置で表示される映像を適切な映像モードとできる映像再生装置に関する。また、本発明は、そのような映像再生装置と、そのような映像再生装置に接続される映像表示装置と、を備える映像表示システムに関する。更に、本発明は、映像再生装置から出力されて映像表示装置で表示される映像を適切な映像モードにして表示できる映像表示方法に関する。
【背景技術】
【０００２】
従来、ＤＶＤ（Digital Versatile Disc）やＢＤ（Blu-ray Disc; Blu-rayは登録商標）等の光ディスクに記録される映像情報を再生することを可能とする光ディスクプレーヤや光ディスクレコーダ等の映像再生装置が普及している。このような映像再生装置は、モニタ等の映像を表示する映像表示装置と通信可能に接続して使用する。最近では、映像再生装置及び映像表示装置にＨＤＭＩ(High-Definition Multimedia Interface)規格に準拠する端子を設けて、両者をＨＤＭＩ規格に準拠したケーブルで接続することが行われている。
【０００３】
映像再生装置と映像表示装置とをＨＤＭＩ規格に準拠して接続する構成においては、映像再生装置は、映像表示装置が処理可能な解像度やフレームレート等について知ることができる。現状では、映像再生装置は、映像表示装置で処理可能な最大解像度や最大フレームレート等（これはＨＤＭＩケーブルを介して知り得る）に合わせて映像情報の表示設定を変換し、変換済みの映像情報を映像表示装置へと出力することが一般的に行われている。
【０００４】
ところで、映像表示装置には、映像の解像度を変換する解像度変換処理や、インターレース方式で形成された映像をプログレッシブ方式の映像へと変換するＩＰ変換処理等を行うものがある。このような映像表示装置を用いる場合、映像表示装置で処理可能な最大解像度や最大フレームレート等に合わせて変換された映像情報が映像再生装置から出力された後に、映像表示装置で更に解像度変換処理やＩＰ変換処理等が行われる場合がある。
【０００５】
これについて、もう少し詳しく説明する。映像再生装置がＨＤＭＩケーブルを介して映像表示装置から取得する解像度やフレームレート等は、あくまでもインターフェースの能力を示すものであり、必ずしも映像表示装置の解像度やフレームレート等と一致しない場合がある。このようなケースでは、映像再生装置は映像表示装置が実際に備える解像度やフレームレート等を正確に知ることができない。このため、例えば、映像再生装置が映像表示装置で処理可能であるとして取得した最大解像度や最大フレームレート等よりも映像表示装置の実際の能力が低い場合には、映像表示装置で更に解像度変換処理やＩＰ変換処理等が行われることとなる。
【０００６】
このように、映像再生装置を、解像度変換処理やＩＰ変換処理等を行える映像変換手段を備える映像表示装置に接続する場合には、再生映像を表示するにあたって、映像再生装置と映像表示装置との両方で映像変換処理が施される場合がある。このために、映像表示装置で処理可能な最大解像度や最大フレームレート等に合わせて変換された映像情報を、映像再生装置から映像表示装置へと出力する構成としても、映像表示装置で表示される映像は、適切な映像モード（例えば、ユーザにとって好ましい映像モードや、一般的に好ましい映像モードとして受け入れられるような映像モード）とならない場合がある。
【０００７】
この点、特許文献１に示される映像再生装置（光ディスク再生装置又は映像信号出力装置）は、映像表示装置（映像出力装置）とＨＤＭＩケーブルを介して接続可能に設けられ、映像表示装置が対応している解像度に関する情報をＨＤＭＩケーブルから取得し、ユーザからの解像度を変更する旨の指令に応じて、映像表示装置が対応している解像度の中から、映像の解像度を適宜選択し得るように構成している。
【０００８】
このように構成した場合、ユーザが映像表示装置の解像度を、対応する解像度の中から自分の好みに応じて変更できる。このために、ユーザは、映像再生装置によって再生される映像について好ましい映像モードで鑑賞することが可能となる。
【特許文献１】特開２００７−１５０４６９号公報
【発明の開示】
【発明が解決しようとする課題】
【０００９】
しかしながら、特許文献１に示される構成においては、ユーザが解像度を決定するために用いる映像は、ユーザが鑑賞中の再生映像を使用するものである。このように鑑賞中の再生映像を使用する場合、解像度の差をユーザが一見して把握するのは必ずしも容易ではなく、好ましい映像モードを得られる条件を誤る可能性がある。また、その時々で変更される映像に基づいて解像度を決定するために、ユーザにとって好ましい映像モードの映像を安定して得ることができない場合がある。そして、このような場合には、ユーザは、好みの映像モードに合った設定となるように、解像度に関する設定を繰り返し行う必要が発生し、設定操作が煩わしく思われる場合がある。
【００１０】
以上の問題点を鑑みて、本発明の目的は、映像再生装置及び映像表示装置の両方のスペックを鑑みて、再生時の映像を、安定して適切な映像モード（例えば、ユーザにとって好ましい映像モードや、一般的に好ましい映像モードとして受け入れられるような映像モード）とできる映像再生装置を提供することである。また、本発明の他の目的は、そのような映像再生装置を備え、適切な映像モードの映像を表示できる映像表示システムを提供することである。更に、本発明の他の目的は、映像再生装置及び映像表示装置の両方のスペックを鑑みて、適切な映像モードの映像を安定して表示できる映像表示方法を提供することである。
【課題を解決するための手段】
【００１１】
上記目的を達成するために本発明は、映像を表示する映像表示装置と接続可能に設けられ、記録媒体に記録される映像情報の再生を行う映像再生装置であって、前記映像表示装置で処理可能な表示設定の種類を示す表示設定情報を前記映像表示装置から取得する表示設定情報取得手段と、前記映像表示装置へと出力する映像情報を、前記表示設定となるように変換処理する映像変換手段と、再生時に前記映像表示装置へと出力する映像情報の表示設定を決定すべく、予め用意される評価用映像情報を、内蔵或いは外付けの記憶媒体から読み出す評価用映像読み出し手段と、前記映像変換手段を用いて前記評価用映像情報を前記表示設定情報に示される各表示設定となるように順次変換処理させ、変換処理された前記評価用映像情報を前記映像表示装置へと順次出力させる出力指令手段と、前記映像表示装置へと順次出力される前記評価用映像情報を、前記映像表示装置で順次表示した結果に基づいて、前記表示設定情報の中から再生時に前記映像表示装置へと出力する映像情報の表示設定を決定する表示設定決定手段と、を備えることを特徴としている。
【００１２】
これによれば、映像表示装置の実際の表示能力を確かめた上で、映像再生装置から映像表示装置へと出力する映像情報の表示設定を決定することが可能となる。このために、映像再生装置からの再生映像情報を適切な映像モードで表示することが可能となる。また、表示設定を決定するにあたって、予め用意した評価用映像情報を利用する構成であるために、適切な映像モードを安定して得ることが可能となる。
【００１３】
また、本発明は、上記構成の映像再生装置において、ユーザが前記表示設定情報の中から１つの表示設定を選択して入力するための入力手段を備え、前記表示設定決定手段は、前記入力手段から入力された入力情報によって、前記映像表示装置へと出力する映像情報の表示設定を決定することとしてもよい。
【００１４】
これによれば、映像表示装置に表示される評価用映像をユーザが評価して、再生時に映像表示装置へと出力する映像情報の表示設定を決定することができる。このために、映像再生装置から出力されて映像表示装置で表示される映像について、ユーザの好みにあった映像モードとすることが可能となる。
【００１５】
また、本発明は、上記構成の映像再生装置において、前記映像表示手段で表示される映像の少なくとも一部を撮像する撮像手段と、前記撮像手段で撮像された映像の評価を行う評価手段と、を備え、前記表示設定決定手段は、前記評価手段による評価結果に基づいて、前記映像表示装置へと出力する映像情報の表示設定を決定することとしてもよい。
【００１６】
これによれば、映像表示装置に表示される評価用映像を客観的に評価して、再生時に映像表示装置へと出力する映像情報の表示設定を決定することができる。このために、映像再生装置から出力されて映像表示装置で表示される映像について、一般的に好ましい映像モードとして受け入れられる映像モードとすることが可能となる。
【００１７】
また、本発明は、上記構成の映像再生装置において、前記表示設定には、解像度、フレームレート、及び走査方式の設定が含まれるのが好ましい。これにより、映像再生装置から出力されて映像表示装置で表示される映像について、適切な映像モードとしやすい。
【００１８】
また、本発明は、上記構成の映像再生装置において、前記映像表示装置との接続をＨＤＭＩ（High-Definition Multimedia Interface）ケーブルによって行うためのＨＤＭＩ端子部が設けられるのが好ましい。これによって、映像再生装置からの再生映像情報を適切な映像モードで映像表示装置に表示することを、容易に実現することが可能となる。
【００１９】
また、上記目的を達成するために本発明は、請求項１から５のいずれかに記載の映像再生装置と、前記映像再生装置に接続される映像表示装置と、を備えることを特徴としている。
【００２０】
これによれば、映像表示装置の実際の表示能力を確かめた上で、映像再生装置から映像表示装置へと出力する映像情報の表示設定を決定することが可能となる。このために、映像再生装置からの再生映像情報を適切な映像モードで表示することが可能となる。また、表示設定を決定するにあたって、予め用意した評価用映像情報を利用する構成であるために、適切な映像モードを安定して得ることが可能となる。
【００２１】
また、上記目的を達成するために本発明は、請求項５に記載の映像再生装置と、前記映像再生装置にＨＤＭＩケーブルを介して接続される前記映像表示装置と、を備えることを特徴としている。
【００２２】
これによれば、映像表示装置の実際の表示能力を確かめた上で、映像再生装置から映像表示装置へと出力する映像情報の表示設定を決定することが可能となる。このために、映像再生装置からの再生映像情報を適切な映像モードで表示することが可能となる。また、表示設定を決定するにあたって、予め用意した評価用映像情報を利用する構成であるために、適切な映像モードを安定して得ることが可能となる。そして、ＨＤＭＩ規格を利用する構成であるために、この構成を実現し易い。
【００２３】
また、上記目的を達成するために本発明は、映像再生装置から出力される再生映像情報を映像表示装置で表示する映像表示方法であって、前記映像再生装置が、前記映像表示装置で処理可能な表示設定の種類を示す表示設定情報を前記映像表示装置から取得するステップと、前記映像再生装置において、再生時に前記映像表示装置へと出力する映像情報の表示設定を決定すべく予め用意される評価用映像情報を、内蔵或いは外付けの記憶媒体から読み出すステップと、読み出された前記評価用映像情報を、前記表示設定情報に示される各表示設定となるように順次変換処理し、変換処理された前記評価用映像情報を前記映像再生装置から前記映像表示装置へと順次出力するステップと、前記映像表示装置へと順次出力される前記評価用映像情報を、前記映像表示装置で順次表示した結果に基づいて、前記表示設定情報の中から再生時に前記映像再生装置から前記映像表示装置へと出力する映像情報の表示設定を決定するステップと、決定された表示設定となるように前記映像再生装置で再生映像情報を処理して前記映像表示装置へと出力するステップと、を具備することを特徴としている。
【００２４】
これによれば、映像表示装置の実際の表示能力を確かめた上で、映像再生装置から映像表示装置へと出力する映像情報の表示設定を決定することが可能となる。このために、映像再生装置からの再生映像情報を適切な映像モードで表示することが可能となる。また、表示設定を決定するにあたって、予め用意した評価用映像情報を利用する構成であるために、適切な映像モードを安定して得ることが可能となる。
【発明の効果】
【００２５】
本発明によれば、映像再生装置及び映像表示装置の両方のスペックを鑑みて、再生時の映像を、安定して適切な映像モードとできる映像再生装置、映像表示システム、及び映像表示方法を提供することができる。
【発明を実施するための最良の形態】
【００２６】
以下、本発明の映像再生装置、映像表示システム、及び映像表示方法について、実施形態を示し、図面を参照しながら詳細に説明する。
【００２７】
（第１実施形態）
図１は、第１実施形態の映像表示システム１の構成を示すブロック図である。第１実施形態の映像表示システム１は、映像再生装置として機能するＤＶＤプレーヤ１０と、映像表示装置として機能するモニタ３０と、から成る。ＤＶＤプレーヤ１０とモニタ３０とは、ＨＤＭＩ（High-Definition Multimedia Interface）規格に準拠しケーブルであるＨＤＭＩケーブル５０によって接続されている。
【００２８】
第１実施形態の映像表示システム１を構成するＤＶＤプレーヤ１０について、まず説明する。ＤＶＤプレーヤ１０は、図１に示すように、光ピックアップ１１と、信号処理部１２と、ＡＶデコーダ１３と、映像変換部１４と、ＨＤＭＩ変換部１５と、プレーヤ制御部１６と、記憶部（モニタ３０の記憶部と区別するために、以下ではプレーヤ側記憶部と記載する）１７と、入力部１８と、表示部１９と、コネクタ部２０と、ＤＶＤ設置部２１と、を備える。
【００２９】
光ピックアップ１１は、図示しない半導体レーザと光検出器とを備える。そして、光ピックアップ１１は、半導体レーザから出射されるレーザ光（例えば波長６５０ｎｍ）をＤＶＤ４０に照射し、その際にＤＶＤ４０（正確にはＤＶＤ４０の情報記録面）で反射される反射光を光検出器で検出することによって、ＤＶＤ４０に記録される光情報を検出する。光検出器は、光電変換可能に設けられており、光検出器で検出した光情報は電気信号に変換されて信号処理部１２に出力される。
【００３０】
信号処理部１２は、光ピックアップ１１及びＡＶデコーダ１３と接続されている。また、ＤＶＤプレーヤ１０内に設けられる通信線２２を介してプレーヤ制御部１６に接続され、プレーヤ制御部１６によって制御される。光ピックアップ１１から信号を受け取った信号処理部１２は、受信した信号（ＲＦ信号）をＡ／Ｄ変換し、８／１６変調で符号化されているデジタルデータの復調を行い、復調されたデジタルデータの誤り訂正を行う。これら一連の処理によって、映像情報や音声情報等の信号が多重化されたデータであるプログラムストリームを生成する。
【００３１】
また、信号処理部１２は、生成されたプログラムストリームをＭＰＥＧ（Moving Pictures Expert Group）形式の映像情報とＡＣ３形式の音声情報とからなるデジタル信号に分離する。そして、信号処理部１２は、分離された映像情報と音声情報とをＡＶデコーダ１３に送信する。
【００３２】
ＡＶデコーダ１３は、信号処理部１２及び映像変換部１４に接続されている。また、通信線２２を介してプレーヤ制御部１６と接続され、プレーヤ制御部１６によって制御される。ＡＶデコーダ１３は、信号処理部１２から映像情報及び音声情報を受け取ると、それらをそれぞれ所定形式の信号に復号する。ＡＶデコーダ１３で復号処理された映像情報及び音声情報は、映像変換部１４に送信される。
【００３３】
映像変換部１４は、ＡＶデコーダ１３及びＨＤＭＩ変換部１５に接続されている。また、通信線２２を介してプレーヤ制御部１６と接続され、プレーヤ制御部１６によって制御される。映像変換部１４は、ＡＶデコーダ１３から受け取った映像情報について、プレーヤ制御部１６が指示する表示設定となるように映像の変換処理を行う。また、映像変換部１４は、プレーヤ制御部１６がプレーヤ側記憶部１７から読み出したテスト映像情報（評価用映像情報）を受信して、このテスト映像情報についても、プレーヤ制御部１６の指示にしたがって、所望の表示設定となるように映像の変換処理を行う。
【００３４】
映像変換部１４は、ＩＰ変換部１４ａとスケーラ部１４ｂとから成っている。ＩＰ変換部１４ａは、走査方式がインターレース方式である映像情報について、プログレッシブ方式の映像情報へと変換する処理を行う機能を有する。スケーラ部１４ｂは、映像情報の解像度及びフレームレートを変換する機能を有する。映像変換部１４は、プレーヤ制御部１６に指示にしたがって、ＩＰ変換処理、解像度やフレームレートの変換処理を行った映像情報について、ＨＤＭＩ変換部１５に送信する。
【００３５】
なお、音声情報についても、映像変換部１４を経由してＨＤＭＩ変換部１５に送信される。
【００３６】
ＨＤＭＩ変換部１５は、映像変換部１４とコネクタ部２０とに接続されている。また、通信線２２を介してプレーヤ制御部１６と接続され、プレーヤ制御部１６によって制御される。ＨＤＭＩ変換部１５は、映像変換部１４から映像情報の変換処理が行われた変換済映像情報を受け取ると、当該変換済映像情報をＨＤＭＩ規格の情報に準拠したデジタル信号に変換する。そして、変換した映像情報をコネクタ部２０及びＨＤＭＩケーブル５０を介してモニタ３０に出力する。
【００３７】
なお、ＨＤＭＩ変換部１５は、映像変換部１４から受け取った音声情報についても、上述の変換済映像情報と同様に所定の形式に変換する。そして、変換した音声情報をコネクタ部２０及びＨＤＭＩケーブル５０を介してモニタ３０に出力する。
【００３８】
プレーヤ制御部１６は、上述のように、信号処理部１２、ＡＶデコーダ１３、映像変換部１４、及びＨＤＭＩ変換部１５と、通信線２２を介して接続されている。また、プレーヤ制御部１６は、プレーヤ側記憶部１７、入力部１８、及び表示部１９のそれぞれと、個々に接続されている。これにより、プレーヤ制御部１６は、これらの各構成部材の制御を行っている。
【００３９】
また、プレーヤ制御部１６は、ＨＤＭＩケーブル５０（正確には、ＤＤＣ（Display Data Channel））を介してモニタ３０と接続されている。これにより、プレーヤ制御部１６は、モニタ３０から、モニタ３０で処理可能な表示設定の種類を示す表示設定情報（本実施形態では、ここで言う表示設定は、解像度、フレームレート、走査方式である）を取得する。
【００４０】
その他、プレーヤ制御部１６は、プレーヤ側記憶部１７に記憶されているテスト映像情報を読み出して映像変換部１４に送信する。また、プレーヤ制御部１６は、テスト映像情報を、モニタ３０から取得した表示設定情報に示される各表示設定になるように映像変換部１４に指令を出すとともに、変換されたテスト映像情報をモニタ３０へと出力するようにＨＤＭＩ変換部１５に指令を出す。更に、プレーヤ制御部１６は、再生時にモニタ３０へと出力する映像情報の表示設定ついて、ユーザが選択した表示設定（この情報は入力部１８から入力される）に決定する。
【００４１】
すなわち、プレーヤ制御部１６は、表示設定取得手段、評価用映像読み出し手段、出力指令手段、及び表示設定決定手段としての機能を果たす。
【００４２】
プレーヤ側記憶部１７は、ＲＯＭ（Read Only Memory）及びＲＡＭ（Random Access Memory）からなり、プレーヤ制御部１６と接続されている。ＲＯＭには、プレーヤ制御部１６が各種処理を行う上で必要となる各種のパラメータや動作プラグラムが記憶される。なお、再生時にモニタ３０へと出力する再生映像情報の表示設定を決定可能とすべく、予め用意されるテスト映像情報（評価用映像情報）も、このＲＯＭに記憶されている。また、ＲＡＭは、各種データを一時的に保持し、例えばプレーヤ制御部１６によって各種情報処理が行われる際の処理データや、ユーザから受けた指示命令等を一時的に記憶しておくためのバッファメモリとして機能する。
【００４３】
入力部１８は、プレーヤ制御部１６と接続されており、ユーザがＤＶＤプレーヤ１０に対して指示することを可能とする。具体的には、ＤＶＤプレーヤ１０本体に設けられる入力ボタンや、ＤＶＤプレーヤ１０に設けられるリモートコントローラ用の受信部に対して情報を送信可能なリモートコントローラの入力ボタンが該当する。例えばユーザは、異なる表示設定となるように変換処理された各テスト映像を見た後に、再生時にモニタ３０へと出力する再生映像情報の表示設定をどれにするかを選択し、この入力部１８によって、その情報を入力することができる。
【００４４】
表示部１９は、プレーヤ制御部１６と接続されており、ユーザに対して情報を示す。この情報には、ＤＶＤ４０の再生位置を示すカウンタや時間を示す時計等の他に、ユーザに対して選択を要求するメッセージ等も含まれる。例えば、再生時にモニタ３０へと出力する再生映像情報の表示設定をいずれにするかの選択要求について、この表示部１９にメッセージを示して、その選択を要求する。
【００４５】
コネクタ部２０は、ＨＤＭＩ規格に準拠した端子（ＨＤＭＩ端子）で形成されている。これにより、ＨＤＭＩケーブル５０一本で、ＤＶＤプレーヤ１０からモニタ３０へと、映像情報の他、音声情報及びその他の情報も送信できる。また、プレーヤ制御部１６は、モニタ３０から表示設定情報を読み取ることもできる。
【００４６】
ＤＶＤ設置部２１は、ＤＶＤプレーヤ１０によってＤＶＤ４０を再生する場合に、ＤＶＤ４０を設置する部分である。具体的には、ディスクトレイ（図示せず）にＤＶＤ４０を載置して内部に挿入すると、ＤＶＤ４０はターンテーブルにチャックされ、これによりＤＶＤ４０はＤＶＤプレーヤ１０内に設置される。なお、ターンテーブルはスピンドルモータと接続されて回転可能となっている。
【００４７】
次に、第１実施形態の映像表示システム１を構成するモニタ３０について説明する。モニタ３０は、ＤＶＤプレーヤ１０から送信されてきた映像情報を表示することが可能な映像表示装置である。本実施形態のモニタ３０は、図１に示すようにＨＤＭＩ制御部３１と、記憶部（ＤＶＤプレーヤ１０側の記憶部と区別するために、以下ではモニタ側記憶部と記載する）３２と、を備える。
【００４８】
ＨＤＭＩ制御部３１は、ＨＤＭＩケーブル５０を介して（図示していないがモニタ３０側にもＨＤＭＩ規格に準拠したコネクタ部は設けられており、そのコネクタ部、及び、ＤＶＤプレーヤ１０のコネクタ部２０も勿論介する）、ＤＶＤプレーヤ１０のＨＤＭＩ変換部１５と接続されている。そして、ＤＶＤプレーヤ１０からＴＭＤＳ（Transition Minimized Differential Signaling）方式で送られてきた映像情報を受け取るようになっている。ＨＤＭＩ制御部３１は、受け取った映像情報（デジタル信号）を、その映像の表示を行うべく、モニタ３０内の図示しない所定の構成部へと送信する。
【００４９】
なお、図示しないがモニタ３０には、ＤＶＤプレーヤ１０から受け取った映像情報について、必要に応じて、映像の走査方式、解像度、フレームレート等の表示設定の変換を行う映像変換部（例えば、ＩＰ変換部やスケーラ部を備える）が設けられている。このために、ＤＶＤプレーヤ１０から送信されてきた映像情報について、表示設定が変更される場合がある。
【００５０】
モニタ側記憶部３２は、ＥＤＩＤ（Extended Display Identification Data）を格納している。ＥＤＩＤには、モニタ３０に対応する表示設定（走査方式、解像度、フレームレート等）に関する表示設定情報が含まれる。したがって、ＤＶＤプレーヤ１０のプレーヤ制御部１６は、ＤＤＣ通信により表示設定情報を得ることが可能となっている。
【００５１】
次に、第１実施形態の映像表示システム１によって再生映像を表示する場合の映像表示方法（動作）について説明する。第１実施形態の映像表示システム１においては、再生映像を表示する動作を行うにあたって、事前に、ＤＶＤプレーヤ１０からモニタ３０へと出力される映像情報の表示設定を決定する動作を有し、その動作について特徴を有する。このために、この部分について、図２のフローチャートを参照しながら説明する。
【００５２】
なお、ＤＶＤプレーヤ１０からモニタ３０へと出力される映像情報の表示設定を決定する動作については、例えば、ユーザからの指令（例えば入力部１８から、その指令を入力する）によって開始する構成としても構わない。また、ＤＶＤプレーヤ１０がモニタ３０と接続された時点で自動的に開始される構成等としても構わない。
【００５３】
この表示設定の決定動作が開始されると、まず、パラメータＮがＮ＝０とされる（ステップＳ１）。
【００５４】
次に、プレーヤ制御部１６は、モニタ３０とのＤＤＣ通信により、ＥＤＩＤからモニタ３０が処理可能な表示設定の種類を示す表示設定情報を取得する（ステップＳ２）。本実施形態においては、表示設定情報は、走査方式（インターレース方式か、プログレッシブ方式か）、解像度、及びフレームレートに関する情報である。なお、通常は、ＥＤＩＤから、モニタ３０で処理可能な複数種類の表示設定が取得されることになる。
【００５５】
次に、プレーヤ制御部１６は、プレーヤ側記憶部１７からテスト映像情報（評価用映像情報）を読み出す（ステップＳ３）。このテスト映像情報は、再生時（ＤＶＤプレーヤ１０によるＤＶＤ４０に記録される映像情報の再生時）にモニタ３０へと出力する再生映像情報の表示設定を決定可能とすべく、予め用意される情報である。そして、このテスト映像情報は、評価用の映像としての役割を果たすべく、ＤＶＤプレーヤ１０からモニタ３０へと出力される映像情報の表示設定を変更した場合に、それに伴う映像の変化を検出し易いように構成されている。特に、映像のエッジ付近においては表示設定に違いによる影響（ジャギ、モアレ、ビート等）が出易い傾向にあるが、このような影響をユーザが検出しやすいように、テスト映像情報は構成されている。
【００５６】
テスト映像情報が読み出されると、プレーヤ制御部１６はテスト映像情報を映像変換部１４に送信し、先に読み出した表示設定のうちのいずれか１つの表示設定となるように、テスト映像の変換処理を行わせる（ステップＳ４）。具体的には、プレーヤ制御部１６からの指示にしたがって、映像変換部１４において、走査方式、解像度及びフレームレートが適宜変換される。ただし、プレーヤ制御部１６からの指示が、テスト映像情報の表示設定と同じ表示設定となるような指示の場合は、特に映像の変換は行われることなく、テスト映像情報は映像変換部１４を通過する。
【００５７】
映像変換部１４で変換された変換済みのテスト映像情報（上述のように場合によっては、変換されていない場合もある）は、ＨＤＭＩ変換部１５に送信されて必要な変換処理が行われた後、プレーヤ制御部１６の指示にしたがってモニタ３０側に送られる。そして、モニタ３０において適宜処理が行われてテスト映像が表示される（ステップＳ５）。
【００５８】
ここで、モニタ３０における処理は、走査方式、解像度、及びフレームレートのうちの少なくとも１つの変換処理を含む場合ある。これは、ＥＤＩＤから取得される情報は、上述のように、あくまでもインターフェースの能力を示した情報であり、実際のモニタ３０で表示できる表示設定とは必ずしも一致しないことに由来する。この点については、あとで一例を挙げて説明する。
【００５９】
テスト映像の表示が行われると、パラメータＮについて、１が加算される（ステップＳ６）。すなわち、パラメータＮは、モニタ３０でテスト映像の表示が行われた回数を示す。
【００６０】
次に、パラメータＮが、先にプレーヤ制御部１６がＥＤＩＤから読みした表示設定の種類の数（モニタ３０で処理可能な表示設定の種類の数）と同じであるか否かが確認される（ステップＳ７）。Ｎが、モニタ３０で処理可能な表示設定の種類の数より小さい場合には、ステップＳ３からステップＳ７が繰り返される。なお、この繰り返し時においては、ステップＳ４における「処理可能な表示設定」は、それ以前にモニタ３０で表示した表示設定とは異なる表示設定のいずれか１つが該当する。
【００６１】
一方、Ｎが、モニタ３０で処理可能な表示設定の種類の数と同じである場合には、後述のステップＳ８へと進むが、その前に、ステップＳ１からステップＳ７までの処理の理解を容易にするために、具体例を挙げて、ステップＳ１からステップＳ７を再度説明する。
【００６２】
この例においては、モニタ３０は、走査方式がプログレッシブ方式、解像度が１０８０×７６８ｄｐｉ、フレームレートが２９．９７ｆｐｓで、映像を表示するように構成されているとする。一方、モニタ側記憶部３２に記憶されるＥＤＩＤには、図３に示す４８０ｉ、４８０ｐ、１０８０ｉ（その詳細内容は図３参照）を処理可能という情報が記録されているとする。上述のように、ＥＤＩＤはインターフェースの能力を示すものであり、本実施形態のモニタ３０は、映像を変換する機能を有するために、このような情報がＥＤＩＤに記録されていても良いことになっている。
【００６３】
ＤＶＤプレーヤ１０のプレーヤ制御部１６は、変数Ｎ＝０とし(ステップＳ１)、ステップＳ２で、モニタ３０が、上述の３種類の表示設定（４８０ｉ、４８０ｐ、１０８０ｉ）を処理可能であると認識する。そして、テスト映像情報を読み出した（ステップＳ３）後、ステップＳ４において、例えば、まず４８０ｉの表示設定となるようにテスト映像情報を変換処理する指令が出される。
【００６４】
その後、プレーヤ制御部１６は、この変換処理された情報をモニタ３０へと出力するように指令する。そして、モニタ３０は、自己の能力（走査方式がプログレッシブ方式、解像度が１０８０×７６８ｄｐｉ、フレームレートが２９．９７ｆｐｓ）に合わせて、映像情報を変換して表示する（ステップＳ５）。
【００６５】
この後、パラメータＮに１が加算（この時点ではＮ＝１である）される（ステップＳ６）。この例においては、モニタ３０が処理可能な表示設定の数は３であるために、ステップＳ７で、ステップＳ３に戻る処理が行われる。
【００６６】
そして、ステップＳ４において、例えば４８０ｐの表示設定となるようにテスト映像情報を変換処理する指令が出される。ここでは、表示設定４８０ｉと異なるいずれかの表示設定となれば良いので、勿論１０８０ｉの表示設定となるように映像情報の変換処理を行ってもよいが、ここでは一例として４８０ｉに変換することとしている。
【００６７】
次に、プレーヤ制御部１６は、この変換処理された情報をモニタ３０へと出力するように指令する。４８０ｉの表示設定に変換処理されてモニタ３０に出力されたテスト映像情報は、モニタ３０で自己の能力に合わせて映像情報の変換が行われ、テスト映像が表示される。
【００６８】
この後、Ｎに１が加算される（ステップＳ６）が、この時点でＮ＝２（＜３）であるために、ステップＳ３に戻る。  そして、ステップＳ４において、１０８０ｉの表示設定（４８０ｉ、４８０ｐと異なる表示設定）となるようにテスト映像情報を変換処理する指令が出される。次に、プレーヤ制御部１６は、この変換処理された情報をモニタ３０へと出力するように指令する。１０８０ｉの表示設定に変換処理されてモニタ３０に出力されたテスト映像情報は、モニタ３０で自己の能力に合わせて映像情報の変換が行われ、テスト映像が表示される。
【００６９】
次に、Ｎが加算されるとＮ＝３となり、パラメータＮの数がモニタ３０で処理可能な表示設定の数と同じになったために、ステップＳ８へと進む。
【００７０】
パラメータＮの数がモニタ３０で処理可能な表示設定の数と同じとなると、表示されたテスト映像（上記の例では３つ）を見たユーザの印象によって、ユーザは、テスト映像が表示された表示設定のうち、いずれの表示設定とするかを選択し、入力部１８からその情報を入力する（ステップＳ８）。
【００７１】
具体的には、本実施形態においては、パラメータＮの数がモニタ３０で処理可能な表示設定の種類数と同じとなると、ＤＶＤプレーヤ１０の表示部１９に、いずれの表示設定を選択するかについて、入力要求が表示される。そして、ユーザは、例えば複数表示されたテスト映像の中から、その好みで表示設定を選択して入力する（例えば、表示された順番を基準に、好みの映像の順番を入力する）。
【００７２】
なお、本実施形態では、表示設定の選択要求がＤＶＤプレーヤ１０の表示部１９に表示される構成としているが、これに限らず、表示設定の選択要求が、モニタ３０にＯＳＤ（On Screen Display）表示される構成等としても構わない。
【００７３】
ユーザによって表示設定が選択され、その情報が入力部１８から入力されると、プレーヤ制御部１６は、ユーザによって選択された表示設定を、ＤＶＤ４０の再生時における、ＤＶＤプレーヤ１０からモニタ３０へと出力する映像情報の表示設定として決定する（ステップＳ９）。決定された表示設定は、プレーヤ側記憶部１７に記憶され、以後は、ここで決定された表示設定で再生映像情報がモニタ３０に出力される。そして、モニタ３０で適当な処理が行われて再生映像が表示される。
【００７４】
このように構成することにより、第１実施形態の映像表示システム１においては、ＤＶＤ４０の再生時において、安定して適切な映像モードで映像を表示できる。すなわち、本実施形態の映像表示システム１では、ＤＶＤプレーヤ１０とモニタ３０の能力（スケーラ機能、ＩＰ変換機能など）をトータルで評価して、ＤＶＤプレーヤ１０から出力する映像情報の表示設定を決定する構成であるために、適切な映像モードの選択ができる。そして、再生映像の表示設定を決定するに際して、予め用意したテスト映像を用いて決定する構成であるために、適切な映像モードを安定して得ることが可能となる。
【００７５】
なお、このような表示設定の決定は、ＤＶＤプレーヤに接続されるモニタが決定されれば、その後は、モニタの変更等がある場合を除いて行わなくても良い。ただし、ユーザからの要求によって、随時行ってもよい。
【００７６】
（第２実施形態）
次に、第２実施形態の映像表示システム１００について説明する。第１実施形態の映像表示システム１においては、ＤＶＤプレーヤ１０から出力する再生映像情報（ＤＶＤ４０から再生される映像情報）の表示設定の決定を、ユーザの判断に基づく構成とした。この構成の場合、ユーザの主観によるところが大きくなり、客観的に好ましい映像モードであると判断される映像モードとならない場合もあり得る。このため、映像モードをより客観的に選択したいという要求もあると考えられる。その要求に答えるのが第２実施形態である。
【００７７】
図４は、第２実施形態の映像表示システム１００の構成を示すブロック図である。図４と図１を比べればわかるように、第２実施形態の映像表示システム１００の構成は、基本的に第１実施形態の映像表示システム１の構成と同様である。ただし、ＤＶＤプレーヤの構成について相違点を有する。なお、図４においては、第１実施形態と共通する構成要素については、同一の符号を付している。
【００７８】
第２実施形態のＤＶＤプレーヤ１１０と第１実施形態のＤＶＤプレーヤ１０との相違点は、第２実施形態のＤＶＤプレーヤ１１０が、カメラ１１１と評価部１１２とを有している一方で、第１実施形態のＤＶＤプレーヤ１０は、そのような構成を有していない点である。以下、この相違する部分について主に説明し、共通する部分については、原則として、その説明を省略する。
【００７９】
カメラ１１１は、例えばＣＣＤカメラのような撮像装置から成って、モニタ３０の表示画面に表示される映像を撮影することが可能となっている。カメラ１１１は、評価部１１２に接続されており、撮影した映像を適宜評価部１１２に送信するように構成されている。また、カメラ１１１は、プレーヤ制御部１６に接続されており、その動作をプレーヤ制御部１６によって制御される。このカメラ１１１は、テスト映像について、その映像の良否を客観的に判断する手段として使用される。
【００８０】
評価部１１２は、カメラ１１１に接続されており、カメラ１１１から送信された信号を解析して、テスト映像の評価を行う。テスト映像の評価としては、送信されてきた映像のモアレ、ビート等の成分に関する評価や、送信されてきた信号の高周波特性等の評価を行う。評価部１１２は、プレーヤ制御部１６に接続されており、その動作をプレーヤ制御部１６によって制御される。評価部１１２による評価結果は、プレーヤ制御部１６に送信される。
【００８１】
次に、第２実施形態の映像表示システム１００によって再生映像を表示する場合の映像表示方法（動作）について説明する。第２実施形態の映像表示システム１においては、第１実施形態の場合と同様に、再生映像を表示する動作を行うにあたって、事前に、ＤＶＤプレーヤ１１０からモニタ３０へと出力される映像情報の表示設定を決定する動作を有し、その動作について特徴を有する。このために、この部分について、図５のフローチャートを参照しながら説明する。
【００８２】
この表示設定の決定動作が開始されると、まず、パラメータＮがＮ＝０とされる（ステップＳ１１）。
【００８３】
次に、プレーヤ制御部１６は、モニタ３０とのＤＤＣ通信により、ＥＤＩＤからモニタ３０が処理可能な表示設定の種類を示す表示設定情報を取得する（ステップＳ１２）。本実施形態においては、表示設定情報は、走査方式（インターレース方式か、プログレッシブ方式か）、解像度、及びフレームレートに関する情報である。なお、通常は、ＥＤＩＤから、モニタ３０で処理可能な複数種類の表示設定が取得されることになる。
【００８４】
次に、プレーヤ制御部１６は、プレーヤ側記憶部１７からテスト映像情報（評価用映像情報）を読み出す（ステップＳ１３）。このテスト映像情報は、再生時（ＤＶＤプレーヤ１１０によるＤＶＤ４０に記録される映像情報の再生時）にモニタ３０へと出力する再生映像情報の表示設定を決定可能とすべく、予め用意される情報である。そして、このテスト映像情報は、第１実施形態の場合と同様に、評価用の映像としての役割を果たすべく、ＤＶＤプレーヤ１０からモニタ３０へと出力される映像情報の表示設定を変更した場合に、それに伴う映像の変化を検出し易いように構成されている。特に、テスト映像情報のエッジ部をカメラ１１１で撮影した場合に、その変化を評価部１１２での解析処理によって検出できるように、テスト映像情報は構成されている。
【００８５】
テスト映像情報が読み出されると、プレーヤ制御部１６はテスト映像情報を映像変換部１４に送信し、先に読み出した表示設定のうちのいずれか１つの表示設定となるように、テスト映像の変換処理を行わせる（ステップＳ１４）。具体的には、プレーヤ制御部１６からの指示にしたがって、映像変換部１４において、走査方式、解像度及びフレームレートが適宜変換される。ただし、プレーヤ制御部１６からの指示が、テスト映像情報の表示設定と同じ表示設定となるような指示の場合は、特に映像の変換は行われることなく、テスト映像情報は映像変換部１４を通過する。
【００８６】
映像変換部１４で変換された変換済みのテスト映像情報（上述のように場合によっては、変換されていない場合もある）は、ＨＤＭＩ変換部１５に送信されて必要な変換処理が行われた後、プレーヤ制御部１６の指示にしたがってモニタ３０側に送られる。そして、モニタ３０において適宜処理が行われてテスト映像が表示される（ステップＳ１５）。ここで、モニタ３０における処理は、走査方式、解像度、及びフレームレートのうちの少なくとも１つの変換処理を含む場合ある。これは、第１実施形態の場合と同様である。
【００８７】
テスト映像の表示が行われると、パラメータＮについて、１が加算される（ステップＳ１６）。すなわち、パラメータＮは、モニタ３０でテスト映像の表示が行われた回数を示す。
【００８８】
また、テスト映像の表示が行われると、カメラ１１１によって、その映像が撮影される（ステップＳ１７）。カメラ１１１の撮影のタイミングはプレーヤ制御部１６によって制御される。この際、カメラ１１１によるテスト映像の撮影は、テスト映像の全体としても構わないが、本実施形態では、テスト映像の所定位置のエッジ部を撮影する構成となっている。このように、テスト映像の一部のみを撮影する構成とするのは、一つには、一部のみを撮影する構成とする方が、カメラ１１１の焦点をモニタ３０近傍で合わせやすいという理由が挙げられる。また、他の理由として、特にエッジ部の撮像の評価を行うことによって、各表示設定で表示されるテスト映像の違いに関する評価が行い易いということが挙げられる。
【００８９】
カメラ１１１で撮影された映像が評価部１１２で評価されて、その評価結果がプレーヤ側記憶部１７に記憶される（ステップＳ１８）。評価部１１２によるテスト映像の評価は、モアレ、ビート等の成分に関する評価や高周波特性の評価等である。
【００９０】
次に、パラメータＮが、先にプレーヤ制御部１６がＥＤＩＤから読みした表示設定の種類の数（モニタ３０で処理可能な表示設定の種類の数）と同じであるか否かが確認される（ステップＳ１９）。Ｎが、モニタ３０で処理可能な表示設定の種類の数より小さい場合には、ステップＳ１３からステップＳ１９が繰り返される。なお、この繰り返し時においては、ステップＳ１４における「処理可能な表示設定」は、それ以前にモニタ３０で表示した表示設定とは異なる表示設定のいずれか１つが該当する。
【００９１】
一方、Ｎが、モニタ３０が処理可能な表示設定の種類の数と同じである場合には、評価部１１２で評価した結果（プレーヤ側記憶部１７に記憶される）に基づいて、ＤＶＤ４０の再生時における、ＤＶＤプレーヤ１１０からモニタ３０へと出力する映像情報の表示設定を決定する（ステップＳ２０）。決定された表示設定は、プレーヤ側記憶部１７に記憶され、以後は、ここで決定された表示設定で再生映像情報がモニタ３０に出力される。そして、モニタ３０で適当な処理が行われて再生映像が表示される。
【００９２】
このように構成することにより、第２実施形態の映像表示システム１００においては、第１実施形態の映像表示システム１の場合と同様に、ＤＶＤ４０の再生時において、安定して適切な映像モードで映像を表示できる。更に、ＤＶＤプレーヤ１１０からモニタ３０へと出力する再生映像情報の表示設定に関する決定について、ユーザの判断によるのではなく、撮像手段（カメラ）の撮影結果に基づいて判断する構成であるために、客観的な判断に基づいて決定することが可能である。
【００９３】
（その他）
以上に示した実施形態は例示であって、本発明は、以上に示した実施形態に限定されるものではなく、本発明の目的を逸脱しない範囲で種々の変更が可能である。
【００９４】
以上に示した実施形態においては、映像変換部１４で変換処理する表示設定が、走査方式、解像度、及びフレームレートである場合について示した。しかし、これに限定される趣旨ではなく、例えば、画質（明るさ、コントラスト）等の表示設定を更に含む構成等としても構わない。
【００９５】
また、以上に示した実施形態においては、テスト映像情報をＤＶＤプレーヤの記憶部に記憶させておく（内蔵型の記録媒体に記憶させておく）構成とした。しかし、例えば外部から挿し込んで接続するようなメモリカード等の外付け型の記録媒体にテスト映像情報を記憶させ、この外付け型の記録媒体を適宜ＤＶＤプレーヤに接続してテスト映像情報を読み出す構成であっても勿論構わない。
【００９６】
更に、以上に示した実施形態においては、映像再生装置がＤＶＤプレーヤである場合について示したが、ＤＶＤレコーダ（ハードディスクを内蔵するものも含まれる）、ＢＤプレーヤ、ＢＤレコーダ（ハードディスクを内蔵するものも含まれる）等、他のタイプの映像再生装置であってもよいのは、当然である。なお、ハードディスクを内蔵する場合には、テスト映像情報をハードディスクに記憶しておいても構わない。
【産業上の利用可能性】
【００９７】
本発明の映像再生装置、映像表示システム、及び映像表示方法によれば、映像再生装置及び映像表示装置の両方のスペックを鑑みて、再生時の映像を、安定して適切な映像モードとできる。したがって、本発明は、産業上有用な発明である。
【図面の簡単な説明】
【００９８】
【図１】は、第１実施形態の映像表示システムの構成を示すブロック図である。
【図２】は、第１実施形態の映像表示システムにおいて、ＤＶＤプレーヤからモニタへと出力される映像情報の表示設定を決定する動作を説明するためのフローチャートである。
【図３】は、図２のフローチャートを説明する際に使用する具体例の条件を示すテーブルである。
【図４】は、第２実施形態の映像表示システムの構成を示すブロック図である。
【図５】は、第２実施形態の映像表示システムにおいて、ＤＶＤプレーヤからモニタへと出力される映像情報の表示設定を決定する動作を説明するためのフローチャートである。
【符号の説明】
【００９９】
１、１００      映像表示システム
１０、１１０    ＤＶＤプレーヤ（映像再生装置）
１４            映像変換部
１６            プレーヤ制御部
１８            入力部
２０            コネクタ部（端子部）
３０            モニタ
５０            ＨＤＭＩケーブル
１１１          カメラ（撮像手段）
１１２          評価部
【図１】
2009105798.tif 000003
【図２】
2009105798.tif 000004
【図３】
2009105798.tif 000005
【図４】
2009105798.tif 000006
【図５】
2009105798.tif 000007